(57)【要約】【課題】部品点数を削減してコストの抑制、研究開発や設備投資等の促進、地球環境の保護に資するウェーハカセットの梱包体を提供する。【解決手段】半導体ウェーハＷのウェーハカセット１と、ウェーハカセット１を上下から挟持する第一、第二の緩衝体３０・４０とを備えたウェーハカセットの梱包体であり、ウェーハカセット１を、半導体ウェーハＷを起立状態で整列収納するカセット２と、カセット２の上部６に着脱自在に嵌合される蓋体１２から構成し、カセット２の一対の側壁上部を曲げてフランジ８とし、蓋体１２を断面略皿形状に形成してその少なくとも周壁１３の両側部をフランジ８に干渉可能とし、第一、第二の緩衝体３０・４０を、対向板３１・４１と、対向板３１・４１から張り出して屈曲する外壁３７・４８とから形成し、対向板３１・４１に、ウェーハカセット１を部分的に収容する収容凹部３２・４２を形成する。【選択図】図１
2014093400.tif 000002
【特許請求の範囲】
【請求項１】
ウェーハを収納するウェーハカセットと、このウェーハカセットを上下方向から挟んで収容する第一、第二の緩衝体とを備えたウェーハカセットの梱包体であって、
ウェーハカセットは、複数枚のウェーハを起立させた状態で整列収納可能なカセットと、このカセットの開口した上部に着脱自在に嵌め合わされる蓋体とを含み、カセットの周壁のうち、少なくとも対向する一対の側壁の上部をそれぞれ外方向に曲げてフランジとし、蓋体を断面略皿形状に形成し、この蓋体の周壁のうち、少なくとも周壁の両側部をカセットのフランジに干渉可能とし、
第一の緩衝体は、第二の緩衝体に対向する対向板と、この対向板の周縁部から下方に屈曲する外壁とを備え、対向板に、ウェーハカセットを部分的に収容する収容凹部を形成し、この収容凹部を、ウェーハカセットの一部を収容して搭載する幅広部と、この幅広部の下方に形成される段差部と、この段差部に形成されて下方に突出する緩衝部とから形成し、
第二の緩衝体は、第一の緩衝体の対向板に対向する対向板と、この対向板の周縁部から上方に屈曲する外壁とを備え、対向板に、ウェーハカセットを部分的に収容する収容凹部を形成し、この収容凹部を、ウェーハカセットの一部以外の残部を収容する幅広部と、この幅広部の上方に形成されてウェーハカセットの蓋体に接触する段差部と、この段差部に形成されて上方に突出する緩衝部とから形成したことを特徴とするウェーハカセットの梱包体。
【請求項２】
カセットのフランジに位置決め凸部を形成し、蓋体の内面中央と周壁との間に溝を区画するとともに、この溝に、カセットの位置決め凸部を被覆する中空のドーム部を形成し、第二の緩衝体の段差部には、蓋体のドーム部に対向して干渉を回避する回避部を形成した請求項１記載のウェーハカセットの梱包体。
【請求項３】
蓋体の内部に、ウェーハの周縁上部を保持する保持部を形成した請求項１又は２記載のウェーハカセットの梱包体。
【請求項４】
第一の緩衝体の対向板と第二の緩衝体の対向板のいずれか一方に係止凹部を形成し、他方には、係止凹部に嵌め入れられる係止突部を形成した請求項１、２、又は３記載のウェーハカセットの梱包体。
【発明の詳細な説明】
【技術分野】
【０００１】
本発明は、半導体ウェーハに代表される各種ウェーハを収納するウェーハカセットの梱包体に関するものである。
【背景技術】
【０００２】
従来、所定の加工や処理の施された半導体ウェーハを出荷する場合には、図示しないが、複数枚の半導体ウェーハを専用の収納容器に収納し、この収納容器をラミネート袋でヒートシール包装し、このヒートシール包装された収納容器を段ボール箱に複数の二次緩衝材を介して梱包した後、出荷して輸送するようにしている（特許文献１参照）。
【０００３】
出荷に用いられる収納容器は、複数枚の半導体ウェーハを起立させた状態で整列収納する略角筒形のカセットと、このカセットの下半分を着脱自在に収納するトップオープンボックスの下箱と、この下箱の開口した上部に着脱自在に嵌合されてカセットの残り上半分を被覆保護する上箱と、この上箱の内部天井に着脱自在に装着されて半導体ウェーハの周縁上部を圧接保持する押さえ部材と、下箱と上箱との嵌合部に介在されてシール機能を発揮する枠形のガスケットとを備えて構成されている。
【０００４】
ところで、収納容器は、一般的に、カセット、下箱、上箱、押さえ部材、及びガスケットの５部品から構成されているが、このように部品点数が多くては、コストを削減することができず、研究開発や設備投資等に問題が生じることとなる。この点に鑑み、収納容器を構成する５部品のうち、少なくとも２部品を一体化し、部品点数を削減してコストを抑制する手法が提案されている。この手法によれば、例えば上箱の内部天井に押さえ部材を一体成形することにより、上箱に被覆保護機能と押さえ部材の押さえ機能とを併せて付与することが可能になる。
【先行技術文献】
【特許文献】
【０００５】
【特許文献１】特開２００２−１６０７６９号公報
【発明の概要】
【発明が解決しようとする課題】
【０００６】
しかしながら、係る手法によれば、収納容器を構成する２部品を一体化して部品点数を削減することができるものの、２部品以上を一体成形しようとすると、収納容器の機能、すなわち、半導体ウェーハを収納する機能を損なうこととなる。したがって、これ以上の部品点数の削減は非常に困難である。
しかし、収納容器の部品点数を今以上に削減できれば、コストを大幅に削減して研究開発や設備投資等を促進することができ、しかも、産業廃棄物の低減を通じて地球環境の保護に資することができる。
【０００７】
本発明は上記に鑑みなされたもので、部品点数を削減してコストの抑制、研究開発や設備投資等の促進、地球環境の保護に資することのできるウェーハカセットの梱包体を提供することを目的としている。
【課題を解決するための手段】
【０００８】
本発明においては上記課題を解決するため、ウェーハを収納するウェーハカセットと、このウェーハカセットを上下方向から挟んで収容する第一、第二の緩衝体とを備えたものであって、
ウェーハカセットは、複数枚のウェーハを起立させた状態で整列収納可能なカセットと、このカセットの開口した上部に着脱自在に嵌め合わされる蓋体とを含み、カセットの周壁のうち、少なくとも対向する一対の側壁の上部をそれぞれ外方向に曲げてフランジとし、蓋体を断面略皿形状に形成し、この蓋体の周壁のうち、少なくとも周壁の両側部をカセットのフランジに干渉可能とし、
第一の緩衝体は、第二の緩衝体に対向する対向板と、この対向板の周縁部から下方に屈曲する外壁とを備え、対向板に、ウェーハカセットを部分的に収容する収容凹部を形成し、この収容凹部を、ウェーハカセットの一部を収容して搭載する幅広部と、この幅広部の下方に形成される段差部と、この段差部に形成されて下方に突出する緩衝部とから形成し、
第二の緩衝体は、第一の緩衝体の対向板に対向する対向板と、この対向板の周縁部から上方に屈曲する外壁とを備え、対向板に、ウェーハカセットを部分的に収容する収容凹部を形成し、この収容凹部を、ウェーハカセットの一部以外の残部を収容する幅広部と、この幅広部の上方に形成されてウェーハカセットの蓋体に接触する段差部と、この段差部に形成されて上方に突出する緩衝部とから形成したことを特徴としている。
【０００９】
なお、カセットのフランジに位置決め凸部を形成し、蓋体の内面中央と周壁との間に溝を区画するとともに、この溝に、カセットの位置決め凸部を被覆する中空のドーム部を形成し、第二の緩衝体の段差部には、蓋体のドーム部に対向して干渉を回避する回避部を形成することができる。
また、第二の緩衝体の幅広部と段差部のいずれかに、蓋体のドーム部に対向して干渉を回避する回避部を形成することができる。
【００１０】
また、蓋体の内部に、ウェーハの周縁上部を保持する保持部を形成することもできる。
また、第一の緩衝体の対向板と第二の緩衝体の対向板のいずれか一方に係止凹部を形成し、他方には、係止凹部に嵌め入れられる係止突部を形成することも可能である。
【００１１】
ここで、特許請求の範囲におけるウェーハには、少なくともシリコンウェーハ等の半導体ウェーハ、化合物ウェーハ、サファイヤウェーハ、カーボンウェーハ、ガラスウェーハ、ソーラーウェーハ、マスクガラス、液晶基板等が含まれる。特に、トランジスタやダイオード等のディスクリートデバイス用のウェーハが好適に使用される。ウェーハカセットと第一、第二の緩衝体とは、透明、不透明、又は半透明でも良い。ウェーハカセットは、各種の包装袋で包装することができる。
【００１２】
カセットのフランジには、蓋体のドーム部に対向して被覆される位置決め凹部を形成することができる。蓋体の表面周縁部には、必要に応じ、第二の緩衝体の幅広部と段差部のいずれかを接触させることもできる。また、第一、第二の緩衝体は、複数のウェーハカセットを横方向に並べて（例えば、１×２、３×３等）挟み持つことが好ましい。この第一、第二の緩衝体は、各種の収納箱に収納したり、コンテナに搭載した状態で出荷、輸送することが可能である。さらに、係止凹部は、穴や溝等に形成することが可能である。
【００１３】
本発明によれば、第一の緩衝体の収容凹部にウェーハカセットの一部を収容し、第一の緩衝体に第二の緩衝体を被せ、第一の緩衝体に収容されていないウェーハカセットの残部に第二の緩衝体の収容凹部を嵌め入れれば、第一、第二の緩衝体の間にウェーハカセットを挟んで包装することができる。
【００１４】
この際、ウェーハカセットの蓋体に第二の緩衝体の段差部が接触するので、カセットのフランジに蓋体が強く接触する。このように第一、第二の緩衝体が緩衝機能の他、従来の収納容器の下箱と上箱の保護機能をも発揮するので、少なくとも収納容器の下箱と上箱とを省略することができる。
【発明の効果】
【００１５】
本発明によれば、部品点数を削減してコストの抑制、研究開発や設備投資等の促進、地球環境の保護に資することができるという効果がある。また、ウェーハカセットの蓋体に第二の緩衝体の段差部が接触するので、カセットのフランジに蓋体が強く接触し、カセットから蓋体が外れてウェーハの汚染等を招くのを有効に防止することができる。
【００１６】
請求項２記載の発明によれば、蓋体のドーム部と第二の緩衝体の回避部とが干渉するのを防ぐことができるので、第一、第二の緩衝体を重ねて一体化する作業に支障を来すことが少なく、第一、第二の緩衝体を重ねて強固に一体化することができる。
【００１７】
請求項３記載の発明によれば、蓋体に保持部を一体化するので、蓋体に、ウェーハを被覆して保護する機能と、ウェーハを押さえてガタツキを防止する機能とを併せて付与し、部品点数を削減することが可能になる。また、従来の堅牢な収納容器を使用しなくても、ウェーハを安全に搬送したり、輸送したりすることが可能になる。
請求項４記載の発明によれば、ウェーハカセットを挟み持つ第一、第二の緩衝体が外れることにより、ウェーハやウェーハカセットが損傷したり、ウェーハが汚染したりするのを防止することが可能になる。
【図面の簡単な説明】
【００１８】
【図１】本発明に係るウェーハカセットの梱包体の実施形態を模式的に示す説明図である。
【図２】本発明に係るウェーハカセットの梱包体の実施形態におけるウェーハカセットのカセットを模式的に示す斜視説明図である。
【図３】本発明に係るウェーハカセットの梱包体の実施形態における蓋体を模式的に示す説明図である。
【図４】本発明に係るウェーハカセットの梱包体の実施形態における蓋体の内面を模式的に示す説明図である。
【図５】本発明に係るウェーハカセットの梱包体の実施形態におけるウェーハカセットの包装状態を模式的に示す説明図である。
【図６】本発明に係るウェーハカセットの梱包体の実施形態における第一、第二の緩衝体の挟持状態を模式的に示す説明図である。
【図７】本発明に係るウェーハカセットの梱包体の実施形態における第一の緩衝体を模式的に示す平面説明図である。
【図８】本発明に係るウェーハカセットの梱包体の実施形態における第二の緩衝体を模式的に示す平面説明図である。
【発明を実施するための形態】
【００１９】
以下、図面を参照して本発明の好ましい実施の形態を説明すると、本実施形態におけるウェーハカセットの梱包体は、図１ないし図８に示すように、複数枚の半導体ウェーハＷを並べて収納するウェーハカセット１と、このウェーハカセット１を上下方向から挟持して複数収容する第一、第二の緩衝体３０・４０とを備え、これら複数のウェーハカセット１と第一、第二の緩衝体３０・４０とが共に出荷用の収納箱に収納される。
【００２０】
各ウェーハカセット１は、図１、図２、図５、図６に示すように、複数枚（例えば２５枚）の半導体ウェーハＷを起立させた状態で整列収納可能なカセット２と、このカセット２の開口した上部６に着脱自在に嵌合される蓋体１２とを備え、カセット２の上部６に蓋体１２が嵌合された後、保護用の包装袋２０で包装される。各半導体ウェーハＷは、例えば比較的損傷しにくく、簡易な梱包形態の検討に適する４〜６インチの小さいシリコンウェーハからなる。
【００２１】
カセット２は、同図に示すように、例えばポリプロピレンやポリカーボネート等を含有する成形材料により射出成形される。このカセット２は、図示しない専用の位置決め装置に位置決めされる正面略Ｈ字形の前壁３と、この前壁３に複数枚の半導体ウェーハＷ用の収納空間をおいて対向する後壁４と、これら前壁３と後壁４との両側部間にそれぞれ架設されて相対向する一対の側壁５とを備え、上下部がそれぞれ開口した略角筒形に形成されており、開口した上部６から半導体ウェーハＷが出し入れされる。
【００２２】
カセット２の上部６は、半導体ウェーハＷの出し入れを円滑にする観点から、下部よりも広い平面略矩形に開口される。これに対し、カセット２の開口した下部は、半導体ウェーハＷの周縁下部の中央を外部下方に露出させ、この半導体ウェーハＷの周縁下部の中央が専用の装置に突き上げられることにより、半導体ウェーハＷがカセット２から取り出される。
【００２３】
カセット２の周壁７を形成する前壁３、後壁４、及び一対の側壁５のうち、一対の側壁５の上部は、それぞれ水平外方向に屈曲されてフランジ８を形成する。一方の側壁５のフランジ８表面には、半球形の位置決め凸部９が複数形成され、他方の側壁５のフランジ８表面には、複数の位置決め凹部１０が半球形に凹み形成される。
【００２４】
複数の位置決め凸部９は、例えばフランジ８表面の両端部に形成されるが、必要に応じ、一端部、他端部、中央部等に突出形成される。また、複数の位置決め凹部１０は、例えば別のフランジ８表面の両端部に形成されるが、選択的に一端部、他端部、中央部等に凹み形成される。これら複数の位置決め凸部９と位置決め凹部１０とは、例えば半導体ウェーハＷを収納したカセット２と空のカセットの開口上部６同士が突き合わされる際に嵌合して位置合わせ機能を発揮し、半導体ウェーハＷを空のカセットに移し替える作業を容易にする。
【００２５】
一対の側壁５は、それぞれ変形した断面略Ｊ字形に形成され、上部から中央部が直線的に伸張形成されるとともに、中央部から下部が半導体ウェーハＷの周縁部に沿うよう湾曲形成されており、下部から最下部が下方に直線的に伸張形成される。この一対の側壁５の内面上部から下部にかけては、半導体ウェーハＷの周縁側部を縦に嵌合支持する整列溝１１がそれぞれ凹み形成され、この一対の整列溝１１がカセット２の前後方向に所定の間隔で配列される。
【００２６】
各整列溝１１は、例えば半導体ウェーハＷの位置決めやガタツキ防止の観点から、半導体ウェーハＷの周縁側部を挟む断面略Ｖ字形に形成され、上部から中央部が直線的に伸張形成される。この整列溝１１の中央部から下部にかけては、半導体ウェーハＷの周縁部に沿うよう湾曲形成され、半導体ウェーハＷの位置を規制する。
【００２７】
蓋体１２は、例えばポリオレフィンやポリスチレン等のシート材料がプレス成形、真空成形、あるいは圧空成形等されることで形成される。この蓋体１２の材料としては、ポリオレフィンやポリスチレン等の他、ポリ乳酸等の生分解材料を選択することもできる。この生分解材料を選択すれば、環境負荷の低減が期待できる。
蓋体１２は、図１、図３、図４等に示すように、カセット２の開口した上部６と略同じ大きさを有する平面略矩形に形成され、前後左右の周縁部に、カセット２の上部６を外側から包囲する周壁１３が一体形成されることにより、断面略皿形に形成される。
【００２８】
蓋体１２の内面中央は厚さ方向に平面矩形に凹み形成され、この蓋体１２の内面中央と周壁１３との間には枠形溝１４が区画されており、この枠形溝１４の四隅部等には、カセット２の複数の位置決め凸部９を被覆したり、複数の位置決め凹部１０に隙間を介して対向する中空のドーム部１５がそれぞれ膨出形成される。枠形溝１４は、その寸法がカセット２のフランジ８の幅寸法に略等しくなるよう調整され、カセット２のフランジ８に着脱自在に嵌合係止する。
【００２９】
蓋体１２の内面中央には、複数枚の半導体ウェーハＷの周縁上部を保持溝１７で嵌合保持する細長い平面略矩形の保持部１６が一体形成される。この保持部１６は、複数の保持溝１７が蓋体１２の前後方向に所定の間隔で並ぶことにより形成され、各保持溝１７が半導体ウェーハＷの周縁上部を前後方向から挟む断面略Ｖ字形に形成される。
【００３０】
なお、保持部１６を、相対向する一対のリブを蓋体１２の前後方向に所定の間隔で並設することで形成し、一対のリブの対向面をそれぞれ傾斜面に形成し、この一対のリブの傾斜面に半導体ウェーハＷの周縁上部を前後方向から挟持させても良い。
【００３１】
包装袋２０は、図５に模式的に示すように、ウェーハカセット１を直接包装する袋と、この袋を外側から密閉して包装する不透明のアルミネート袋２１とを備えた二層構造に形成される。袋とアルミネート袋２１の開口は、例えば加熱法や超音波法等によりそれぞれシールされる。袋は、例えばポリエチレンやポリエチレンテレフタレート等の樹脂材料により製造される。アルミネート袋２１は、意匠性やバリアー性を向上させるため、例えば銀色等に着色される。
包装袋２０は、図５には説明の都合上、矩形で図示するが、実際には不定形でウェーハカセット１に密接する。
【００３２】
第一、第二の緩衝体３０・４０は、例えばポリオレフィン、ポリスチレン、ポリウレタン等の樹脂材料、これらを発泡させた材料により半透明に成形され、優れた緩衝能力を発揮する。この第一、第二の緩衝体３０・４０は、蓋体１２同様、環境負荷を低減できるポリ乳酸等の生分解材料により製造することもできる。
【００３３】
第一の緩衝体３０は、図１、図６、図７に示すように、第二の緩衝体４０に下方から対向する平面略矩形の対向板３１と、この対向板３１の前後左右の周縁部から張り出して垂直下方に屈曲する外壁３７とを備えた横長の断面略Ｕ字形に形成され、複数のウェーハカセット１の下半分を嵌合収容し、半導体ウェーハＷやウェーハカセット１に外部から作用する振動や衝撃を緩和するよう機能する。
【００３４】
対向板３１は、その周縁部を除く大部分に、ウェーハカセット１を部分的に収容する複数の収容凹部３２がマトリックス（例えば、２×２）に配列され、周縁部の周方向に複数の係止穴３３が間隔をおいて凹み形成されており、各係止穴３３が中空の円錐台形に形成されて第二の緩衝体４０に着脱自在に係止する。
【００３５】
各収容凹部３２は、例えばウェーハカセット１の下半分を嵌合収容して搭載する略角錐台形の幅広部３４と、この幅広部３４の下方に一体形成される段差部３５と、この段差部３５に一体形成されて下方に突出する平面略矩形の緩衝部３６とを備えた中空に形成される。幅広部３４は、上方から下方に向かうに従い、徐々に幅が狭くなるよう形成される。また、段差部３５と緩衝部３６とは、段差部３５が幅広部３４よりも狭い幅に形成され、緩衝部３６が段差部３５よりも狭い幅に形成される。段差部３５は、平面略枠形に形成され、収容凹部３２を補強する。
【００３６】
外壁３７は、複数の収容凹部３２を包囲する平面略枠形に形成され、第一の緩衝体３０が図示しない収納箱内の下部に収納されると、収納箱の周壁内面に面接触し、第一の緩衝体３０の姿勢を安定させる。
【００３７】
第二の緩衝体４０は、図１、図６、図８に示すように、第一の緩衝体３０の対向板３１に上方から対向する平面略矩形の対向板４１と、この対向板４１の前後左右の周縁部から張り出して垂直上方に屈曲する外壁４８とを備えた横長の断面略Ｕ字形に形成され、複数のウェーハカセット１の上半分を嵌合収容し、半導体ウェーハＷやウェーハカセット１に外部から作用する振動や衝撃を緩和する。
【００３８】
対向板４１は、その周縁部を除く大部分に、ウェーハカセット１を部分的に収容する複数の収容凹部４２がマトリックス（例えば、２×２）に配列され、周縁部周方向に複数の係止突部４３が間隔をおいて突出形成される。各係止突部４３は、先細りの円錐台形に形成され、第一の緩衝体３０の係止穴３３に着脱自在に嵌入係止することにより、第一、第二の緩衝体３０・４０の分離を防止する。
【００３９】
各収容凹部４２は、例えば第一の緩衝体３０の対向板３１から突出したウェーハカセット１の上半分を嵌合収容する略角錐台形の幅広部４４と、この幅広部４４の上方に一体形成される段差部４５と、この段差部４５に一体形成されて上方に突出する平面略矩形の緩衝部４６とを備えた中空に形成される。幅広部４４は、下方から上方に向かうに従い、緩やかに幅が狭くなるよう形成される。また、段差部４５と緩衝部４６とは、段差部４５が幅広部４４よりも幅狭に形成され、緩衝部４６が段差部４５よりも幅狭に形成される。
【００４０】
段差部４５は、平面略枠形に形成され、蓋体１２の表面周縁部に接触することにより、この蓋体１２をカセット２のフランジ８に圧接するよう機能する。この段差部４５の幅広部４４との境界辺付近の四隅部には、蓋体１２の複数のドーム部１５に対向して圧接変形を回避する略半球形の回避部４７がそれぞれ膨出形成される。
外壁４８は、複数の収容凹部４２を包囲する平面略枠形に形成され、第二の緩衝体４０が収納箱内の上部に収納されると、収納箱の周壁内面に面接触し、第二の緩衝体４０の姿勢を安定させる。
【００４１】
収納箱は、特に限定されるものではなく、公知の段ボール箱に類似したタイプが使用される。この収納箱には、紙製、プラスチック製、溝切り形、テレスコープ形等の種類があるが、複数のウェーハカセット１の梱包に適するタイプであれば、限定されるものではない。
但し、耐久性や低汚染性の観点からすると、プラスチック製の中空構造板（プラ段）の使用が好ましい。また、第一、第二の緩衝体３０・４０の搬送や輸送に際しては、段ボール箱等からなる収納箱の代わりに、プラスチック製のコンテナを用いることもできる。
【００４２】
上記構成において、収納箱に複数のウェーハカセット１を梱包し、出荷して輸送する場合には、先ず、複数のウェーハカセット１を包装袋２０でそれぞれ包装封止（図５参照）し、包装された各ウェーハカセット１の下半分を第一の緩衝体３０の収容凹部３２に収容する（図１参照）。
【００４３】
第一の緩衝体３０の複数の収容凹部３２にウェーハカセット１を順次収容したら、第一の緩衝体３０に第二の緩衝体４０を上方から被せ、包装された各ウェーハカセット１の残り上半分に第二の緩衝体４０の収容凹部４２を嵌合し、第一の緩衝体３０の複数の係止穴３３に第二の緩衝体４０の係止突部４３をそれぞれ嵌入係止（図６参照）して輸送時のガタツキを未然に防止するようにすれば、第一、第二の緩衝体３０・４０の間に複数のウェーハカセット１を挟んで包装することができる。
【００４４】
この際、ウェーハカセット１の蓋体１２に第二の緩衝体４０の段差部４５が接触するので、カセット２のフランジ８に蓋体１２が圧接し、カセット２の上部６から蓋体１２が外れて半導体ウェーハＷの汚染を招くのを有効に防止することができる。また、蓋体１２のドーム部１５に第二の緩衝体４０の回避部４７が対向して干渉を回避するので、ドーム部１５と回避部４７との不適切な圧接により、第二の緩衝体４０の段差部４５が変形したり、第一、第二の緩衝体３０・４０の挟持に支障を来すことがなく、第一、第二の緩衝体３０・４０を強固に組み立てることができる。
【００４５】
次いで、収納箱内に第一、第二の緩衝体３０・４０を配置して第一の緩衝体３０を下方に位置させ、収納箱の開いた複数のフラップを閉じ、その後、収納箱の周壁から閉じた複数のフラップにかけて粘着テープを粘着すれば、収納箱に複数のウェーハカセット１を梱包し、安全に出荷して輸送することができる。収納箱内に第一、第二の緩衝体３０・４０を配置する際には、収納箱に、段ボール板等の緩衝材を内蔵して緩衝能力を向上させるようにしても良い。
【００４６】
上記構成によれば、蓋体１２に保持部１６を一体形成し、しかも、従来の下箱、上箱、ガスケットを省略するので、部品点数を今まで以上に削減することができる。したがって、コストを大幅に削減して研究開発や設備投資等を促進することができ、しかも、産業廃棄物の低減を通じて地球環境の保護に資することが可能になる。また、梱包容積や質量の低減により、一度に輸送可能な輸送量を増大させることができる。さらに、係止穴３３と係止突部４３の周面がそれぞれ傾斜し、係止穴３３の周面が誘導機能を発揮するので、係止穴３３に係止突部４３を適切に嵌挿し、これらを密嵌して第一、第二の緩衝体３０・４０を隙間なく組み立てることができる。
【００４７】
なお、上記実施形態ではカセット２の前壁３、後壁４、及び一対の側壁５のうち、一対の側壁５の上部をフランジ８に形成したが、後壁４と各側壁５の上部をそれぞれフランジ８に屈曲形成しても良い。また、各フランジ８表面の一端部に位置決め凸部９を形成し、他端部に、位置決め凹部１０を凹み形成しても良い。
【００４８】
また、各位置決め凸部９をピン形に形成しても良い。また、第一の緩衝体３０の対向板３１に、平面枠形の係止溝を切り欠き形成し、第二の緩衝体４０に、係止溝に密嵌する平面枠形の係止突部４３を形成することもできる。また、第一の緩衝体３０の対向板３１に複数の係止穴３３を配設したが、代わりに複数の係止突部４３を配設し、第二の緩衝体４０に複数の係止穴３３を配設することもできる。さらに、幅広部４４の段差部４５との境界辺付近の四隅部に、蓋体１２の複数のドーム部１５に対向して圧接変形を回避する略半球形の回避部４７をそれぞれ形成することもできる。
【産業上の利用可能性】
【００４９】
本発明に係るウェーハカセットの梱包体は、電気、電子、半導体、液晶デバイス等の製造分野で使用される。
【符号の説明】
【００５０】
１        ウェーハカセット
２        カセット
５        側壁
６        上部
７        周壁
８        フランジ
９        位置決め凸部
１０      位置決め凹部
１１      整列溝
１２      蓋体
１３      周壁
１４      枠形溝（溝）
１５      ドーム部
１６      保持部
１７      保持溝
２０      包装袋
３０      第一の緩衝体
３１      対向板
３２      収容凹部
３３      係止穴（係止凹部）
３４      幅広部
３５      段差部
３６      緩衝部
３７      外壁
４０      第二の緩衝体
４１      対向板
４２      収容凹部
４３      係止突部
４４      幅広部
４５      段差部
４６      緩衝部
４８      外壁
Ｗ        半導体ウェーハ（ウェーハ）
【図１】
2014093400.tif 000003
【図２】
2014093400.tif 000004
【図３】
2014093400.tif 000005
【図４】
2014093400.tif 000006
【図５】
2014093400.tif 000007
【図６】
2014093400.tif 000008
【図７】
2014093400.tif 000009
【図８】
2014093400.tif 000010